(57)【要約】【課題】最下段引出し収納部の内部の内部に根菜類を収納しても、根菜類の匂いが実質的にこもることなく、根菜類を比較的長期に亘って良好に保存することのできるシステムキッチン。【解決手段】床（Ｆ）に隣接して最下段に設けられた引出し収納部（１５〜１８）を備えたシステムキッチン（Ｓ）。引出し収納部には、その内部と外部との間で連通する通気孔（２０）が形成されている。通気孔は、引出し収納部のフロントパネル（１５ａ〜１８ａ）の端部に取り付けられたサイドキャップ（１５ｂ〜１８ｂ；１５ｃ〜１８ｃ）に形成されている。【選択図】  図２
2004290507.tif 000002
【特許請求の範囲】
【請求項１】
床に隣接して最下段に設けられた引出し収納部を備えたシステムキッチンにおいて、
前記引出し収納部には、その内部と外部との間で連通する通気孔が形成されていることを特徴とするシステムキッチン。
【請求項２】
前記通気孔は、前記引出し収納部のフロントパネルの端部に取り付けられたサイドキャップに形成されていることを特徴とする請求項１に記載のシステムキッチン。
【発明の詳細な説明】
【０００１】
【発明の属する技術分野】
本発明は、システムキッチンに関し、特に床に隣接して最下段に設けられた引出し収納部を備えたシステムキッチンに関するものである。
【０００２】
【従来の技術】
従来、床に隣接して最下段に設けられた引出し収納部（以下、「最下段引出し収納部」という）を備えたタイプのシステムキッチンが知られている。調査によれば、このタイプのシステムキッチンシンクでは、最下段引出し収納部の内部に根菜類（大根、人参、ごぼうなど）を収納するケースが比較的多く報告されている。
【０００３】
【発明が解決しようとする課題】
従来のシステムキッチンでは、最下段引出し収納部の内部に根菜類を収納すると、最下段引出し収納部の内部に根菜類の匂いがこもり易く、また、根菜類を比較的長期に亘って良好に保存することができないという不都合があった。
【０００４】
本発明は、前述の課題に鑑みてなされたものであり、最下段引出し収納部の内部の内部に根菜類を収納しても、根菜類の匂いが実質的にこもることなく、根菜類を比較的長期に亘って良好に保存することのできるシステムキッチンを提供することを目的とする。
【０００５】
【課題を解決するための手段】
前記課題を解決するために、本発明では、床に隣接して最下段に設けられた引出し収納部を備えたシステムキッチンにおいて、
前記引出し収納部には、その内部と外部との間で連通する通気孔が形成されていることを特徴とするシステムキッチンを提供する。
【０００６】
本発明の好ましい態様によれば、前記通気孔は、前記引出し収納部のフロントパネルの端部に取り付けられたサイドキャップに形成されている。
【０００７】
【発明の実施の形態】
本発明のシステムキッチンでは、最下段引出し収納部に、その内部と外部（システムキッチンが設置されている室内）との間で連通する通気孔が形成されている。具体的には、たとえば最下段引出し収納部のフロントパネルの両端に取り付けられたサイドキャップに通気孔を形成することができる。
【０００８】
その結果、本発明では、最下段引出し収納部の内部に根菜類を収納しても、通気孔の通気作用により、根菜類の匂いがこもるのを実質的に回避するとともに、根菜類を比較的長期に亘って良好に保存することができる。
【０００９】
なお、本発明では、最下段引出し収納部においてサイドキャップに通気孔を形成することにより、通気孔が外側に向かって常時露出することがなく、システムキッチンのデザイン的な美観を損なうことがないという利点がある。また、埃やゴミが通気孔に付着することを防止し、通気孔が目詰まりしにくくなる。
【００１０】
本発明の実施形態を、添付図面に基づいて説明する。
図１は、本発明の実施形態にかかるシステムキッチンの構成を概略的に示す斜視図である。また、図２は、図１のシステムキッチンにおいて各収納部分が開いた様子を示す斜視図である。さらに、図３は、シンクキャビネットの下方において最下段に設けられた最下段引出し収納部の構成を概略的に示す斜視図である。
【００１１】
図１および図２を参照すると、本実施形態のシステムキッチンＳは、床Ｆの上に載置されたベースキャビネット１を備えている。ベースキャビネット１の上部には、システムキッチンＳに向かって左側からガスコンロ（または電気コンロ）２と、一対のカウンタ３ａおよび３ｂとが設けられ、この一対のカウンタ３ａと３ｂとの間にはシンク４が形成されている。また、シンク４に隣接して、たとえば湯水混合型の水栓（不図示）が設けられている。
【００１２】
ベースキャビネット１は、４つのキャビネット１１〜１４と、その下方において床Ｆに隣接して最下段にそれぞれ設けられた４つの引出し収納部１５〜１８とを備えている。すなわち、ガスコンロ２の下方にはキャビネット１１が、ガスコンロ２とシンク４との間の第１カウンタ３ａの下方にはキャビネット１２が、シンク４の下方にはシンクキャビネット１３が、シンク４よりも端部側の第２カウンタ３ｂの下方にはキャビネット１４がそれぞれ設けられている。
【００１３】
また、キャビネット１１の下方には最下段引出し収納部１５が設けられ、キャビネット１２の下方には最下段引出し収納部１６が設けられている。さらに、シンクキャビネット１３の下方には最下段引出し収納部１７が設けられ、キャビネット１４の下方には最下段引出し収納部１８が設けられている。
【００１４】
本実施形態では、図３に示すように、各最下段引出し収納部１５〜１８には、その内部と外部（システムキッチンＳが設置された室内）との間で連通する一群の通気孔２０がそれぞれ形成されている。具体的には、各最下段引出し収納部１５〜１８のフロントパネル１５ａ〜１８ａの両端に取り付けられたサイドキャップ１５ｂ〜１８ｂおよび１５ｃ〜１８ｃに、一群の通気孔２０がそれぞれ形成されている。
【００１５】
ここで、サイドキャップ１５ｂ〜１８ｂおよび１５ｃ〜１８ｃは、たとえば適当な樹脂材料により形成されている。そして、サイドキャップ１５ｂ〜１８ｂおよび１５ｃ〜１８ｃには、例えば縦横に配置された複数個の通気孔２０がそれぞれ形成されている。
【００１６】
以上のように、本実施形態のシステムキッチンＳでは、各最下段引出し収納部１５〜１８のフロントパネル１５ａ〜１８ａの両端に取り付けられたサイドキャップ１５ｂ〜１８ｂおよび１５ｃ〜１８ｃに、一群の通気孔２０がそれぞれ形成されている。その結果、各最下段引出し収納部１５〜１８の内部に根菜類を収納しても、一群の通気孔２０の通気作用により、各最下段引出し収納部１５〜１８の内部に根菜類の匂いがこもるのを実質的に回避するとともに、根菜類を比較的長期に亘って良好に保存することができる。
【００１７】
また、本実施形態では、サイドキャップ１５ｂ〜１８ｂおよび１５ｃ〜１８ｃに一群の通気孔２０が形成されているので、一群の通気孔２０が外側に向かって常時露出することがなく、システムキッチンＳのデザイン的な美観を損なうことがないという利点がある。
【００１８】
なお、上述の実施形態では、複数個の通気孔をサイドキャップに対して縦横に配置している。しかしながら、これに限定されることなく、通気孔の数、形状、配置などについては、本発明の範囲内において様々な変形例が可能である。
【００１９】
また、上述の実施形態では、通気孔をサイドキャップに形成しているが、これに限定されることなく、最下段引出し収納部の他の部位に通気孔を形成することもできる。
【００２０】
また、上述の実施形態では、通気孔を介して自然換気を行っているが、これに限定されることなく、たとえば換気ファンなどを通気孔に対して適切な位置に設けることにより強制換気を行うこともできる。
【００２１】
また、上述の実施形態では、両端のサイドキャップに通気孔が形成されているが、これに限定されることなく、いずれか一方のサイドキャップに通気孔を形成することもできる。
【００２２】
また、上述の実施形態では、すべての最下段引出し収納部に通気孔が形成されているが、これに限定されることなく、任意の最下段引出し収納部に通気孔を形成することもできる。
【００２３】
【発明の効果】
以上説明したように、本発明のシステムキッチンでは、床に隣接して最下段に設けられた最下段引出し収納部に、その内部と外部との間で連通する通気孔が形成されている。したがって、最下段引出し収納部の内部に根菜類を収納しても、通気孔の通気作用により、最下段引出し収納部の内部に根菜類の匂いがこもるのを実質的に回避するとともに、根菜類を比較的長期に亘って良好に保存することができる。
【００２４】
また、本発明では、最下段引出し収納部のフロントパネルの端部に取り付けられたサイドキャップに通気孔を形成することにより、通気孔が外側に向かって常時露出することがなく、システムキッチンのデザイン的な美観を損なうことがないという利点がある。また、埃やゴミが通気孔に付着することを防止し、通気孔が目詰まりしにくくなる。
【図面の簡単な説明】
【図１】本発明の実施形態にかかるシステムキッチンの構成を概略的に示す斜視図である。
【図２】図１のシステムキッチンにおいて各収納部分が開いた様子を示す斜視図である。
【図３】シンクキャビネットの下方において最下段に設けられた最下段引出し収納部の構成を概略的に示す斜視図である。
【符号の説明】
Ｓ  システムキッチン
１  ベースキャビネット
２  ガスコンロ（または電気コンロ）
３  カウンタ
４  シンク
１１〜１４  キャビネット
１５〜１８  最下段引出し収納部
１５ａ，１６ａ，１７ａ，１８ａ  フロントパネル
１５ｂ，１６ｂ，１７ｂ，１８ｂ  サイドキャップ
１５ｃ，１６ｃ，１７ｃ，１８ｃ  サイドキャップ
２０  通気孔
【図１】
2004290507.tif 000003
【図２】
2004290507.tif 000004
【図３】
2004290507.tif 000005